(57)【要約】  再生を中断した場合でもコンテンツの画像による一覧を早期かつばらつきのないタイミングで表示することができる動画像再生装置。この装置では、動画再生部（１２０）は、符号化された動画像データを復号して動画像を再生する。モニタ（１３０）は、再生した動画像を表示するとともに、コンテンツの画像による一覧を表示する。再生位置情報生成部（１４０）は、再生を中断した際に、中断した時刻を含む所定時間内に表示する画像の表示画像データをイントラ符号化する。一覧情報作成部（１５０）は、再生開始位置画像データの再生開始位置画像データ記憶部（１１３）から動画再生部（１２０）への出力を指示し、動画再生部（１２０）から復号処理された再生開始位置画像データを取得してコンテンツの画像による一覧を生成する。
2009004704.tif 000002
【特許請求の範囲】
【請求項１】
符号化された動画像データを復号して動画像を再生する動画再生手段と、
前記再生を中断した際の前記中断した時刻を含む所定時間内に前記再生により表示する画像の画像データを記憶する記憶手段と、
前記記憶手段に記憶している前記画像データのコンテンツ毎の画像の一覧を生成する一覧生成手段と、
前記動画再生手段で再生した動画像を表示するとともに、前記一覧生成手段で生成した前記一覧を表示する表示手段と、
を具備する動画像再生装置。
【請求項２】
前記記憶手段は、前記中断した際に前記表示手段に表示していた画像の画像データを記憶する請求項１記載の動画像再生装置。
【請求項３】
前記画像データを画面内符号化方式で符号化する再生位置情報生成手段を具備し、
前記記憶手段は、画面内符号化方式で符号化した前記画像データを記憶する請求項１記載の動画像再生装置。
【請求項４】
前記再生位置情報生成手段は、前記動画像データの符号化方式と同一の符号化方式である画面内符号化方式で前記画像データを符号化する請求項３記載の動画像再生装置。
【請求項５】
前記所定時間内に前記再生により表示する画像のサイズを、前記一覧で表示する際の画像のサイズに変更した画像の画像データを符号化する再生位置情報生成手段を具備し、
前記記憶手段は、前記再生位置情報生成手段で符号化した前記画像データを記憶する請求項１記載の動画像再生装置。
【請求項６】
前記一覧生成手段は、再生可能なコンテンツの前記画像データの画像の前記一覧を生成する請求項１記載の動画像再生装置
【請求項７】
前記記憶手段は、画面内符号化方式で符号化された画像データ間に存在する画面間予測符号化方式で符号化された画像データまたは双方向予測符号化方式で符号化された画像データを記憶する請求項１記載の動画像再生装置。
【請求項８】
符号化された動画像データを復号して動画像を再生するステップと、
前記再生を中断した際の前記中断した時刻を含む所定時間内に前記再生により表示する画像の画像データを記憶するステップと、
記憶している前記画像データのコンテンツ毎の画像の一覧を生成するステップと、
再生した前記動画像を表示するとともに前記一覧を表示するステップと、
を具備する動画像再生方法。
【発明の詳細な説明】
【技術分野】
【０００１】
本発明は、特にコンテンツを一覧表示する動画像再生装置及び動画像再生方法に関する。
【背景技術】
【０００２】
従来、動画像を記録及び再生する場合、画像データはデータ量が膨大となるため、画質を劣化させずに記録するデータ量を小さく抑えるための技術である符号化技術が存在している。【０００３】
現在、符号化技術を用いて動画像の画像データのデータ量を抑える技術の代表的な一つとして、国際標準化団体が規格化したIＳＯ／ＩＥＣ １４４９６ Ｐａｒｔ２が幅広く普及しており、この規格は、通常ＭＰＥＧ−４と呼ばれる。【０００４】
ＭＰＥＧ−４では、時間的に連続する画像のデータ量を圧縮して削減するために、画面間符号化(以下「インター符号化」と記載する)及び画面内符号化(以下「イントラ符号化」と記載する)を併用している。【０００５】
インター符号化とは、時間的に１フレーム前の画像と、現フレームの画像との差分を算出し、この差分情報のみを符号化して記録する符号化方法をいう。【０００６】
イントラ符号化は、前述のインター符号化とは異なり、差分情報ではなく、現フレームのデータそのものを符号化して記録する符号化方法をいう。一般的には、イントラ符号化の圧縮効率は、インター符号化ほど高くはない。しかしながら、１フレーム前を参照できない第１フレーム目の符号化や、１フレーム前との差分が大きすぎてインター符号化ではかえって圧縮効率が低下する場合などには、イントラ符号化が用いられる。【０００７】
インター符号化されたフレームは、差分情報しか含まないため、１フレーム前のデータが存在しないと再生できない。つまり、インター符号化方法は、途中からの動画像データの再生ができない符号化方法である。【０００８】
従って、従来、動画像データを符号化する際は、途中再生を可能とするために、インター符号化した動画像データの中に、一定の時間間隔で定期的にイントラ符号化されたフレームを挿入するのが一般的であり、その間隔は任意となっている。【０００９】
また、複数の動画コンテンツに係る動画像データを再生する動画像再生装置においては、再生する動画コンテンツの選択を容易にするために、選択時の一覧表示において、動画コンテンツを代表する画像を表示する方法が採用されている（例えば、特許文献１参照）。特許文献１では、再生を中断した部分を特定するための再生時間を記録しておき、記録した再生時間に係る画像を一覧として表示することで、ユーザが動画コンテンツを選択するのを容易にしている。具体的には、特許文献１では、再生時間のみを記録しておき、再生が中断した際に、再生を中断した再生時間に基づいて一覧表示する画像を生成する。
【特許文献１】特開２００４−３２３７５号公報
【発明の開示】
【発明が解決しようとする課題】
【００１０】
しかしながら、特許文献１にあっては、イントラ符号化されたフレームの間隔は、記録時の記録装置の仕様に依存するものであり、再生装置では選択する事ができない。よって、記録装置で設定されたイントラ符号化されたフレーム間隔が極めて広い場合、一覧表示する画像を生成するために長い時間がかかるという問題がある。また、特許文献１にあっては、前回再生を中断したタイミングがイントラ化されたフレーム間隔のいずれのタイミングであったかにより、一覧表示の画像が出てくる時間が早かったり遅かったりとバラツキを生じるので、ユーザは一覧表示の画像が出てくるまでの時間を予見し難いことより、ユーザの混乱を招き、ユーザの利便性が低いという問題がある。【００１１】
本発明の目的は、再生を中断した場合でもコンテンツの画像による一覧を早期かつばらつきのないタイミングで表示することができる動画像再生装置および動画像再生方法を提供することである。
【課題を解決するための手段】
【００１２】
本発明の動画像再生装置は、符号化された動画像データを復号して動画像を再生する動画再生手段と、前記再生を中断した際の前記中断した時刻を含む所定時間内に前記再生により表示する画像の画像データを記憶する記憶手段と、前記記憶手段に記憶している前記画像データのコンテンツ毎の画像の一覧を生成する一覧生成手段と、前記動画再生手段で再生した動画像を表示するとともに、前記一覧生成手段で生成した前記一覧を表示する表示手段と、を具備する構成を採る。【００１３】
本発明の動画再生方法は、符号化された動画像データを復号して動画像を再生するステップと、前記再生を中断した際の前記中断した時刻を含む所定時間内に前記再生により表示する画像の画像データを記憶するステップと、記憶している前記画像データのコンテンツ毎の画像の一覧を生成するステップと、再生した前記動画像を表示するとともに前記一覧を表示するステップと、を具備するようにした。
【発明の効果】
【００１４】
本発明によれば、再生を中断した場合でもコンテンツの画像による一覧を早期かつばらつきのないタイミングで表示することができる。
【図面の簡単な説明】
【００１５】
【図１】本発明の実施の形態１に係る動画像再生装置の構成を示すブロック図
【図２】本発明の実施の形態１に係る動画像再生装置の記録と一覧表示の対応関係を示す模式図
【図３】本発明の実施の形態１に係る動画像再生装置の再生中断時の動作を示すフロー図
【図４】本発明の実施の形態１に係る動画像再生装置の再生再開時の動作を示すフロー図
【図５】本発明の実施の形態２に係る動画像再生装置の構成を示すブロック図
【発明を実施するための最良の形態】
【００１６】
以下、本発明の実施の形態について図面を参照して詳細に説明する。【００１７】
（実施の形態１）
図１は、本発明の実施の形態１に係る動画像再生装置１の構成を示すブロック図である。【００１８】
図１において、動画像再生装置１は、制御部１００、記憶部１１０と、動画再生部１２０と、モニタ１３０、再生位置情報生成部１４０と、一覧情報作成部１５０から主に構成されている。【００１９】
制御部１００は、動画像再生装置１全体の制御を行う。また、制御部１００は、図示しない操作部からの指令に基づき、動画像再生装置１の再生動作を開始または中断するための制御信号を発生して動画再生部１２０、再生位置情報生成部１４０及び一覧情報作成部１５０へ出力する。また、制御部１００は、一覧情報作成部１５０で一覧を作成する際の画像を指定する画像選択信号を発生して動画再生部１２０へ出力する。例えば、制御部１００は、再生を中断した時刻よりも前にモニタ１３０に表示した画像、再生を中断した際にモニタ１３０に表示していた画像、または再生を中断した時刻よりも後にモニタ１３０に表示する画像を選択する画像選択信号を発生する。【００２０】
記憶部１１０は、動画像データ記憶部１１１と、再生開始位置情報部１１２と、再生開始位置画像データ記憶部１１３とを有する。記憶部１１０は、例えば、ハードディスク装置などで構成される。なお、記憶部１１０は、ハードディスク装置に限らず、ＤＶＤ装置やフラッシュメモリなど半導体記憶装置で構成されてもよい。【００２１】
動画像データ記憶部１１１は、イントラ符号化された動画像データ、またはイントラ符号化とインター符号化とが併用されている動画像データを記憶する。【００２２】
再生開始位置情報記憶部１１２は、再生位置情報生成部１４０から入力した、動画像データの再生を開始してから中断するまでの再生時間を示す情報である再生開始位置情報を記憶する。【００２３】
再生開始位置画像データ記憶部１１３は、再生位置情報生成部１４０から入力した表示画像データである再生開始位置画像データを記憶する。【００２４】
動画再生部１２０は、動画像データ記憶部１１１に記憶している動画像データを動画像データ記憶部１１１から読み出す。そして、動画再生部１２０は、読み出した動画像データがイントラ符号化されている場合はイントラ符号化に対応した方法により復号し、読み出した動画像データがインター符号化されている場合はインター符号化に対応した方法により復号して表示画像を順次再生してモニタ１３０に出力する。【００２５】
また、動画再生部１２０は、制御部１００から再生動作を中断する制御信号が入力した際に、再生を中断する。そして、動画再生部１２０は、再生を開始してから中断するまでの再生時間、及び再生を中断した時刻を含む所定時間内にモニタ１３０に表示する画像の表示画像データを再生位置情報生成部１４０へ出力する。例えば、動画再生部１２０は、モニタ１３０の３画面分の各画像を記憶するメモリを有し、復号した画像を順次メモリに蓄積する。そして、動画再生部１２０は、再生動作の中断の制御信号を制御部１００から受けた際に、制御部１００から入力した画像選択信号に従って、メモリに蓄積する最も古い画像を選択して再生位置情報生成部１４０へ出力する。これにより、動画再生部１２０は、再生動作を中断した時刻よりも前にモニタ１３０に表示する画像を出力する。また、動画再生部１２０は、再生動作の中断の制御信号を受けた際に、制御部１００から入力した画像選択信号に従って、メモリに蓄積する最も新しい画像を選択して再生位置情報生成部１４０へ出力する。これにより、動画再生部１２０は、再生動作を中断した時刻よりも後にモニタ１３０に表示する画像を出力する。また、動画再生部１２０は、再生動作の中断の制御信号を受けた際に、制御部１００から入力した画像選択信号に従って、メモリに蓄積する再生を中断した際にモニタ１３０に表示していた画像を選択して再生位置情報生成部１４０へ出力する。【００２６】
また、動画再生部１２０は、再生を中断した時刻を含む所定時間内に表示する画像の内、画面内符号化方式で符号化された直近の画像データ間における、画面間符号化または双方向予測符号化(一般的にＢフレームと呼ばれる)により符号化された画像データを選択して再生位置情報生成部１４０へ出力する。また、動画再生部１２０は、再生開始位置画像データ記憶部１１３から取得した再生開始位置画像データを復号処理して一覧情報作成部１５０へ出力する。【００２７】
再生位置情報生成部１４０は、動画再生部１２０から入力した再生時間を再生開始位置情報として再生開始位置情報記憶部１１２へ出力する。また、再生位置情報生成部１４０は、動画再生部１２０から入力した表示画像データの画像のサイズを、モニタ１３０に一覧で表示する際の縦及び横の画素数と同一の縦及び横の画素数の画像のサイズに変更する。また、再生位置情報生成部１４０は、サイズを変更した画像の表示画像データに対して符号化処理を行う。そして、再生位置情報生成部１４０は、符号化処理した表示画像データを再生開始位置画像データとして再生開始位置情報と対応付けて再生開始位置画像データ記憶部１１３へ出力する。【００２８】
一覧情報作成部１５０は、記憶部１１０内の再生開始位置情報記憶部１１２に再生開始位置情報が記憶されているか否かを判定する。一覧情報作成部１５０は、再生開始位置情報が記憶されていると判定した場合に、記憶部１１０内の再生開始位置画像データ記憶部１１３に記憶した再生開始位置画像データの動画再生部１２０への出力を指示し、復号処理された再生開始位置画像データを動画再生部１２０から取得する。一方、一覧情報作成部１５０は、再生開始位置情報が記憶されていないと判定した場合に、動画再生部１２０に対して、第１フレームの表示画像の出力を要求し、表示画像を取得する。さらに、一覧情報作成部１５０は、記憶部１１０内の再生開始位置情報記憶部１１２から取得した再生開始位置情報、及び動画再生部１２０から取得した復号処理された再生開始位置画像データ、または動画再生部１２０から取得した表示画像に基づいてサムネイル画像を生成し、生成したサムネイル画像をモニタ１３０へ出力する。【００２９】
モニタ１３０は、動画再生部１２０で再生した表示画像を表示する。また、モニタ１３０は、一覧情報作成部１５０から入力したサムネイル画像を表示する。【００３０】
図２は、記憶部１１０の記憶内容とモニタ１３０の表示内容との対応関係を模式的に示す図である。【００３１】
図２においては、動画像データ記憶部１１１は、例えば、４つの動画コンテンツVideo1〜Video4を記憶している。また、４つの動画コンテンツVideo1〜Video4の内、動画コンテンツVideo1〜Video3は再生が完了していることを示しているのに対し、動画コンテンツVideo4は、ゴルフのシーンで再生が中断していることを示している。【００３２】
また、図２において、再生開始位置情報記憶部１１２は、動画コンテンツVideo4については、再生開始位置情報として「００時間１５分３４秒００」を記憶している。即ち、再生開始位置情報記憶部１１２は、動画コンテンツVideo4については、再生開始時刻から１５分３４秒００経過するまで視聴されて再生が中断したこと、即ち再生時間が１５分３４秒００であることを記憶している。また、再生開始位置情報記憶部１１２は、動画コンテンツVideo1〜Video3については、再生開始位置情報として「００時間００分００」を記憶している。即ち、再生開始位置情報記憶部１１２は、動画コンテンツVideo1〜Video3については、再生が完了していることを記憶している。【００３３】
図２において、再生開始位置画像データ記憶部１１３は、再生を中断した動画コンテンツのゴルフのシーンを記憶している。即ち、再生開始位置画像データ記憶部１１３は、ゴルフのコンテンツで再生が中断し、再生を再開する場合は、ゴルフのシーンから再生が開始されるべきことを画像データで記憶している。【００３４】
図２において、モニタ１３０は、４つの動画コンテンツVideo1〜Video4を動画コンテンツ一覧として画像データで表示するとともに、再生が中断している動画コンテンツVideo4については、再生が中断したゴルフのシーンを表示する。なお、モニタ１３０は、動画コンテンツVideo1〜Video3の代表的な画像データとして、各動画コンテンツVideo1〜Video3の先頭画面を表示する。従って、ユーザは、先頭画面と各動画コンテンツとを関連付けて予め認知しておくことにより、モニタ１３０に表示される先頭画面を見ることによって、動画像データ記憶部１１１に記憶している各動画コンテンツを把握することができる。【００３５】
次に、動画像再生装置１が再生動作を中断した場合の動作を、図３を用いて説明する。図３は、動画像再生装置１が再生動作を中断した場合の動作を示すフロー図である。【００３６】
まず、ユーザの視聴中は、制御部１００は、動画像再生部１２０に対して再生処理を指示する（Ｓ１）。【００３７】
次に、動画像再生部１２０は、記憶部１１０の動画像データ記憶部１１１に記録された動画像データを順次読み出し、復号処理を行った後に、再生画像をモニタ１３０に出力し（Ｓ２）、モニタ１３０は、再生画像を表示することにより、ユーザは、モニタ１３０で再生画像を継続的に視認する（Ｓ３：ＹＥＳ、Ｓ２）。【００３８】
この後、制御部１００は、再生の中断の指令を受けた際に（Ｓ３：ＮＯ）、再生位置情報生成部１４０と動画再生部１２０に対して、中断指示を出力する。【００３９】
次に、動画再生部１２０は、中断指示を受けた時点での再生時間および中断指示を受けた時点での表示画像データを再生位置情報生成部１４０へ出力する。次に再生位置情報生成部１４０は、動画再生部１２０から入力した再生時間を再生開始位置情報として取得し、記憶部１１０内の再生開始位置情報記憶部１１２に保存する（Ｓ４）。【００４０】
次に、再生位置情報生成部１４０は、動画再生部１２０から入力した表示画像データを、一覧情報表示時に使用する画像サイズの表示画像データに変更し、動画像データと同じ符号化方式のイントラ符号化を行った後に、記憶部１１０内の再生開始位置画像データ記憶部１１３に保存し（Ｓ５）、動画像再生装置１は、視聴処理を終了する（Ｓ６）。【００４１】
次に、動画像再生装置１における動画コンテンツの一覧表示および動画コンテンツの選択に対応する動作について、図４を用いて説明する。図４は、動画像再生装置１における動画コンテンツの一覧表示および動画コンテンツの選択に対応する動作を示すフロー図である。【００４２】
視聴が再開される（Ｓ１１）と、制御部１００は、一覧情報作成部１５０に対して、一覧情報の生成を指示する（Ｓ１２）。【００４３】
次に、一覧情報作成部１５０は、記憶部１１０内の再生開始位置情報記憶部１１２から再生開始位置情報を読み出し、再生開始位置情報の有無を確認する（Ｓ１３）。【００４４】
次に、再生開始位置情報が保存されている場合（Ｓ１４：ＹＥＳ）、一覧情報作成部１５０は、再生開始位置画像データ記憶部１１３に記憶している再生開始位置画像データの動画再生部１２０への出力を指示し、動画再生部１２０で復号処理された再生位置画像データを取得する（Ｓ１５）。【００４５】
再生開始位置情報が保存されていない場合（Ｓ１４：ＮＯ）は、一覧情報作成部１５０は、動画再生部１２０に対して、第１フレームの再生画像データを出力するよう要求し、動画再生部１２０は、第１フレームの再生画像データを取得する（Ｓ１６）。【００４６】
次に、一覧情報作成部１５０は、ステップＳ１５又はステップＳ１６で得た再生位置画像データをもとに、動画像データの一覧およびこれらのサムネイル画像をモニタ１３０に出力する。次に、モニタ１３０は、例えば図２のモニタ１３０に示すように、再生を完了している３つの動画コンテンツVideo1〜Video３、および再生が中断している動画コンテンツVideo4を含む動画コンテンツ一覧を表示する（Ｓ１７）。【００４７】
次に、ユーザがモニタ１３０に示す動画コンテンツ一覧をみて、これらの中から視聴したい動画像データを選択すると、制御部１００は、動画再生部１２０に対して、該当する動画コンテンツを再生する指令を出力し（Ｓ１８）、動画再生部１２０は、該当動画コンテンツを再生してモニタ１３０に表示し、ユーザが自己が所望する動画コンテンツの視聴を再開する（Ｓ１９）。【００４８】
なお、上述の場合、再生開始位置情報が保存されていない場合は、第１フレームの再生画像を復号して表示するよう記載したが、あらかじめ第１フレームの再生画像を、再生開始位置画像データを再生開始位置画像データ記憶部１１３に保存しておき、一覧情報生成時には、再生開始位置画像データ記憶部１１３から再生位置画像データ読み込むようにしても良い。【００４９】
以上のように、本実施の形態によれば、再生を中断した場合でもコンテンツの画像による一覧を早期かつばらつきのないタイミングで表示することができ、利用者の利便性を向上させることができる。特に、記憶部１１０が大容量で多数の動画コンテンツを記憶している場合に、ユーザが認知し易い再生開始位置画像データが表示されるので、ユーザは所望の動画コンテンツを選択して、再生を再開することを確実に行うことができる。また、本実施の形態によれば、表示画像データをイントラ符号化して記憶するので、保存する画像データの容量を小さくすることができる。また、本実施の形態によれば、動画像データ記憶部１１１に記憶されている動画像データがイントラ符号化されている場合には、動画像データの符号化方式と同一の符号化方式で表示画像データを符号化することになるので、記憶部１１０に記憶する動画像データ及び再生開始位置画像データの符号化方式を同一にすることができ、動画像データ及び再生開始位置画像データを画像として表示する際の処理負荷の増大を抑制することができる。また、本実施の形態によれば、表示画像を一覧で表示する際の縦及び横の画素数と同一の縦及び横の画素数の表示画像データに変更して記憶するので、保存する画像データの容量をさらに小さくすることができる。また、本実施の形態によれば、再生開始位置情報の有無を判定した後に再生開始位置画像データを読み出すので、再生が中断しているコンテンツの有無を容易に判断することができるとともに、一覧の作成を容易に行うことができる。【００５０】
（実施の形態２）
図５は、本発明の実施の形態２に係る動画像再生装置１０の構成を示すブロック図である。【００５１】
図５に示す動画像再生装置１０は、図１に示す実施の形態１に係る動画像再生装置１に対して、一覧情報作成部１５０の代わりに一覧情報作成部５１０を有する。なお、図５において、図１１と同一構成である部分には同一の符号を付してその説明を省略する。【００５２】
制御部１００は、動画像再生装置１０全体の制御を行う。また、制御部１００は、図示しない操作部からの指令に基づき、動画像再生装置１０の再生動作を開始または中断するための制御信号を発生して動画再生部１２０、再生位置情報生成部１４０及び一覧情報作成部５１０へ出力する。また、制御部１００は、一覧情報作成部５１０で一覧を作成する際の画像を指定する画像選択信号を発生して動画再生部１２０へ出力する。【００５３】
動画再生部１２０は、再生開始位置画像データ記憶部１１３から取得した再生開始位置画像データを復号処理して一覧情報作成部５１０へ出力する。なお、図５の動画再生部１２０におけるその他の処理は、図１の動画再生部１２０における処理と同一であるので、その説明を省略する。【００５４】
一覧情報作成部５１０は、記憶部１１０内の再生開始位置情報記憶部１１２に再生開始位置情報が記憶されているか否かを判定する。一覧情報作成部５１０は、再生開始位置情報が記憶されていると判定した場合に、記憶部１１０内の再生開始位置画像データ記憶部１１３に記憶した再生開始位置画像データの動画再生部１２０への出力を指示し、復号処理された再生開始位置画像データを動画再生部１２０から取得する。一方、一覧情報作成部５１０は、再生開始位置情報が記憶されていないと判定した場合に、動画再生部１２０に対して、第１フレームの表示画像の出力を要求し、表示画像を取得する。さらに、一覧情報作成部５１０は、記憶部１１０内の再生開始位置情報記憶部１１２から取得した再生開始位置情報、及び動画再生部１２０から取得した復号処理された再生開始位置画像データ、または動画再生部１２０から取得した表示画像に基づいてサムネイル画像を生成し、生成したサムネイル画像をモニタ１３０へ出力する。【００５５】
また、一覧情報作成部５１０は、動画像データ記憶部１１１に記録された動画像データを読み込み、再生が可能なコンテンツか否かの判定を行う。そして、一覧情報作成部５１０は、再生可能なコンテンツの画像による一覧情報を生成する。一方、一覧情報作成部５１０は、全てのコンテンツの再生が不可能であると判定した場合は、画像を含まない一覧情報を生成する。例えば、一覧情報作成部５１０は、一覧情報を生成する際に、著作権によりコンテンツの再生が制限されているか否か、またはコンテンツを再生することが可能な期間内であるか否か、または再生に不可欠な重要なヘッダ情報を正しく読み取れるか否かを判定することにより再生が可能なコンテンツか否かを判定する。この際に、一覧情報作成部５１０は、著作権によりコンテンツの再生が制限されていない場合、コンテンツを再生することが可能な期間内である場合または再生に不可欠な重要なヘッダ情報を正しく読み取れる場合に、コンテンツの再生が可能であると判定する。【００５６】
モニタ１３０は、動画再生部１２０で再生した表示画像を表示する。また、モニタ１３０は、一覧情報作成部５１０から入力したサムネイル画像を表示する。【００５７】
このように、本実施の形態によれば、上記実施の形態１の効果に加えて、再生できないコンテンツの画像を一覧表示しないので、一覧表示したコンテンツを選択したにも関わらず選択したコンテンツを再生できない状態を防ぐことができる。
【産業上の利用可能性】
【００５８】
本発明にかかる動画像再生装置及び動画像再生方法は、特にコンテンツを一覧表示するのに好適である。
【図１】
2009004704.tif 000003
【図２】
2009004704.tif 000004
【図３】
2009004704.tif 000005
【図４】
2009004704.tif 000006
【図５】
2009004704.tif 000007
【手続補正書】
【提出日】平成19年8月28日(2007.8.28)
【手続補正１】
【補正対象書類名】特許請求の範囲
【補正対象項目名】全文
【補正方法】変更
【補正の内容】
【特許請求の範囲】
【請求項１】
符号化された動画像データを復号して動画像を再生する動画再生手段と、
前記再生を中断した際の前記中断した時刻を含む所定時間内に前記再生により表示する画像の画像データを記憶する記憶手段と、
前記記憶手段に記憶している前記画像データの再生可能なコンテンツ毎の画像の一覧を生成する一覧生成手段と、
前記一覧生成手段で生成した前記一覧を表示する表示手段と、
を具備する動画像再生装置。
【請求項２】
前記記憶手段は、前記中断した際に前記表示手段に表示していた画像の画像データを記憶する請求項１記載の動画像再生装置。
【請求項３】
前記画像データを画面内符号化方式で符号化する再生位置情報生成手段を具備し、
前記記憶手段は、画面内符号化方式で符号化した前記画像データを記憶する請求項１記載の動画像再生装置。
【請求項４】
前記再生位置情報生成手段は、前記動画像データの符号化方式と同一の符号化方式である画面内符号化方式で前記画像データを符号化する請求項３記載の動画像再生装置。
【請求項５】
前記所定時間内に前記再生により表示する画像のサイズを、前記一覧で表示する際の画像のサイズに変更した画像の画像データを符号化する再生位置情報生成手段を具備し、
前記記憶手段は、前記再生位置情報生成手段で符号化した前記画像データを記憶する請求項１記載の動画像再生装置。
【請求項６】
前記記憶手段は、画面内符号化方式で符号化された画像データ間に存在する画面間予測符号化方式で符号化された画像データまたは双方向予測符号化方式で符号化された画像データを記憶する請求項１記載の動画像再生装置。
【請求項７】
前記一覧生成手段は、すべてのコンテンツの再生が不可能である場合は、画像を含まない一覧情報を生成する請求項１記載の動画像再生装置。
【請求項８】
符号化された動画像データを復号して動画像を再生するステップと、
前記再生を中断した際の前記中断した時刻を含む所定時間内に前記再生により表示する画像の画像データを記憶するステップと、
記憶している前記画像データの再生可能なコンテンツ毎の画像の一覧を生成するステップと、
前記一覧を表示するステップと、
を具備する動画像再生方法。
【手続補正書】
【提出日】平成21年10月20日(2009.10.20)
【手続補正１】
【補正対象書類名】特許請求の範囲
【補正対象項目名】全文
【補正方法】変更
【補正の内容】
【特許請求の範囲】
【請求項１】
符号化された動画像データを復号して動画像を再生する動画再生手段と、
前記再生を中断した際の前記中断した時刻を含む所定時間内に前記再生により表示する画像の画像データを記憶する記憶手段と、
前記記憶手段に記憶している前記画像データの再生可能なコンテンツ毎の画像の一覧を生成する一覧生成手段と、
前記一覧生成手段で生成した前記一覧を表示する表示手段と、
を具備する動画像再生装置。
【請求項２】
前記記憶手段は、前記中断した際に前記表示手段に表示していた画像の画像データを記憶する請求項１記載の動画像再生装置。
【請求項３】
前記画像データを画面内符号化方式で符号化する再生位置情報生成手段を具備し、
前記記憶手段は、画面内符号化方式で符号化した前記画像データを記憶する請求項１記載の動画像再生装置。
【請求項４】
前記再生位置情報生成手段は、前記動画像データの符号化方式と同一の符号化方式である画面内符号化方式で前記画像データを符号化する請求項３記載の動画像再生装置。
【請求項５】
前記所定時間内に前記再生により表示する画像のサイズを、前記一覧で表示する際の画像のサイズに変更した画像の画像データを符号化する再生位置情報生成手段を具備し、
前記記憶手段は、前記再生位置情報生成手段で符号化した前記画像データを記憶する請求項１記載の動画像再生装置。
【請求項６】
前記記憶手段は、画面内符号化方式で符号化された画像データ間に存在する画面間予測符号化方式で符号化された画像データまたは双方向予測符号化方式で符号化された画像データを記憶する請求項１記載の動画像再生装置。
【請求項７】
前記一覧生成手段は、すべてのコンテンツの再生が不可能である場合は、画像を含まない一覧情報を生成する請求項１記載の動画像再生装置。
【請求項８】
符号化された動画像データを復号して動画像を再生するステップと、
前記再生を中断した際の前記中断した時刻を含む所定時間内に前記再生により表示する画像の画像データを記憶するステップと、
記憶している前記画像データの再生可能なコンテンツ毎の画像の一覧を生成するステップと、
前記一覧を表示するステップと、
を具備する動画像再生方法。
【手続補正２】
【補正対象書類名】明細書
【補正対象項目名】全文
【補正方法】変更
【補正の内容】
【発明の詳細な説明】
【技術分野】
【０００１】
本発明は、特にコンテンツを一覧表示する動画像再生装置及び動画像再生方法に関する。
【背景技術】
【０００２】
従来、動画像を記録及び再生する場合、画像データはデータ量が膨大となるため、画質
を劣化させずに記録するデータ量を小さく抑えるための技術である符号化技術が存在している。
【０００３】
現在、符号化技術を用いて動画像の画像データのデータ量を抑える技術の代表的な一つとして、国際標準化団体が規格化したIＳＯ／ＩＥＣ １４４９６ Ｐａｒｔ２が幅広く普及しており、この規格は、通常ＭＰＥＧ−４と呼ばれる。
【０００４】
ＭＰＥＧ−４では、時間的に連続する画像のデータ量を圧縮して削減するために、画面間符号化(以下「インター符号化」と記載する)及び画面内符号化(以下「イントラ符号化」と記載する)を併用している。
【０００５】
インター符号化とは、時間的に１フレーム前の画像と、現フレームの画像との差分を算出し、この差分情報のみを符号化して記録する符号化方法をいう。
【０００６】
イントラ符号化は、前述のインター符号化とは異なり、差分情報ではなく、現フレームのデータそのものを符号化して記録する符号化方法をいう。一般的には、イントラ符号化の圧縮効率は、インター符号化ほど高くはない。しかしながら、１フレーム前を参照できない第１フレーム目の符号化や、１フレーム前との差分が大きすぎてインター符号化ではかえって圧縮効率が低下する場合などには、イントラ符号化が用いられる。
【０００７】
インター符号化されたフレームは、差分情報しか含まないため、１フレーム前のデータが存在しないと再生できない。つまり、インター符号化方法は、途中からの動画像データの再生ができない符号化方法である。
【０００８】
従って、従来、動画像データを符号化する際は、途中再生を可能とするために、インター符号化した動画像データの中に、一定の時間間隔で定期的にイントラ符号化されたフレームを挿入するのが一般的であり、その間隔は任意となっている。
【０００９】
また、複数の動画コンテンツに係る動画像データを再生する動画像再生装置においては、再生する動画コンテンツの選択を容易にするために、選択時の一覧表示において、動画コンテンツを代表する画像を表示する方法が採用されている（例えば、特許文献１参照）。特許文献１では、再生を中断した部分を特定するための再生時間を記録しておき、記録した再生時間に係る画像を一覧として表示することで、ユーザが動画コンテンツを選択するのを容易にしている。具体的には、特許文献１では、再生時間のみを記録しておき、再生が中断した際に、再生を中断した再生時間に基づいて一覧表示する画像を生成する。
【特許文献１】特開２００４−３２３７５号公報
【発明の開示】
【発明が解決しようとする課題】
【００１０】
しかしながら、特許文献１にあっては、イントラ符号化されたフレームの間隔は、記録
時の記録装置の仕様に依存するものであり、再生装置では選択する事ができない。よって、記録装置で設定されたイントラ符号化されたフレーム間隔が極めて広い場合、一覧表示する画像を生成するために長い時間がかかるという問題がある。また、特許文献１にあっては、前回再生を中断したタイミングがイントラ化されたフレーム間隔のいずれのタイミングであったかにより、一覧表示の画像が出てくる時間が早かったり遅かったりとバラツキを生じるので、ユーザは一覧表示の画像が出てくるまでの時間を予見し難いことより、ユーザの混乱を招き、ユーザの利便性が低いという問題がある。
【００１１】
本発明の目的は、再生を中断した場合でもコンテンツの画像による一覧を早期かつばらつきのないタイミングで表示することができる動画像再生装置および動画像再生方法を提供することである。
【課題を解決するための手段】
【００１２】
本発明の動画像再生装置は、符号化された動画像データを復号して動画像を再生する動画再生手段と、前記再生を中断した際の前記中断した時刻を含む所定時間内に前記再生により表示する画像の画像データを記憶する記憶手段と、前記記憶手段に記憶している前記画像データの再生可能なコンテンツ毎の画像の一覧を生成する一覧生成手段と、前記一覧生成手段で生成した前記一覧を表示する表示手段と、を具備する構成を採る。
【００１３】
本発明の動画再生方法は、符号化された動画像データを復号して動画像を再生するステップと、前記再生を中断した際の前記中断した時刻を含む所定時間内に前記再生により表示する画像の画像データを記憶するステップと、記憶している前記画像データの再生可能なコンテンツ毎の画像の一覧を生成するステップと、前記一覧を表示するステップと、を具備するようにした。
【発明の効果】
【００１４】
本発明によれば、再生を中断した場合でもコンテンツの画像による一覧を早期かつばらつきのないタイミングで表示することができる。
【発明を実施するための最良の形態】
【００１５】
以下、本発明の実施の形態について図面を参照して詳細に説明する。
【００１６】
（実施の形態１）
図１は、本発明の実施の形態１に係る動画像再生装置１の構成を示すブロック図である。
【００１７】
図１において、動画像再生装置１は、制御部１００、記憶部１１０と、動画再生部１２０と、モニタ１３０、再生位置情報生成部１４０と、一覧情報作成部１５０から主に構成されている。
【００１８】
制御部１００は、動画像再生装置１全体の制御を行う。また、制御部１００は、図示しない操作部からの指令に基づき、動画像再生装置１の再生動作を開始または中断するための制御信号を発生して動画再生部１２０、再生位置情報生成部１４０及び一覧情報作成部１５０へ出力する。また、制御部１００は、一覧情報作成部１５０で一覧を作成する際の画像を指定する画像選択信号を発生して動画再生部１２０へ出力する。例えば、制御部１００は、再生を中断した時刻よりも前にモニタ１３０に表示した画像、再生を中断した際にモニタ１３０に表示していた画像、または再生を中断した時刻よりも後にモニタ１３０に表示する画像を選択する画像選択信号を発生する。
【００１９】
記憶部１１０は、動画像データ記憶部１１１と、再生開始位置情報部１１２と、再生開始位置画像データ記憶部１１３とを有する。記憶部１１０は、例えば、ハードディスク装置などで構成される。なお、記憶部１１０は、ハードディスク装置に限らず、ＤＶＤ装置やフラッシュメモリなど半導体記憶装置で構成されてもよい。
【００２０】
動画像データ記憶部１１１は、イントラ符号化された動画像データ、またはイントラ符号化とインター符号化とが併用されている動画像データを記憶する。
【００２１】
再生開始位置情報記憶部１１２は、再生位置情報生成部１４０から入力した、動画像データの再生を開始してから中断するまでの再生時間を示す情報である再生開始位置情報を記憶する。
【００２２】
再生開始位置画像データ記憶部１１３は、再生位置情報生成部１４０から入力した表示画像データである再生開始位置画像データを記憶する。
【００２３】
動画再生部１２０は、動画像データ記憶部１１１に記憶している動画像データを動画像データ記憶部１１１から読み出す。そして、動画再生部１２０は、読み出した動画像データがイントラ符号化されている場合はイントラ符号化に対応した方法により復号し、読み出した動画像データがインター符号化されている場合はインター符号化に対応した方法により復号して表示画像を順次再生してモニタ１３０に出力する。
【００２４】
また、動画再生部１２０は、制御部１００から再生動作を中断する制御信号が入力した際に、再生を中断する。そして、動画再生部１２０は、再生を開始してから中断するまでの再生時間、及び再生を中断した時刻を含む所定時間内にモニタ１３０に表示する画像の表示画像データを再生位置情報生成部１４０へ出力する。例えば、動画再生部１２０は、モニタ１３０の３画面分の各画像を記憶するメモリを有し、復号した画像を順次メモリに蓄積する。そして、動画再生部１２０は、再生動作の中断の制御信号を制御部１００から受けた際に、制御部１００から入力した画像選択信号に従って、メモリに蓄積する最も古い画像を選択して再生位置情報生成部１４０へ出力する。これにより、動画再生部１２０は、再生動作を中断した時刻よりも前にモニタ１３０に表示する画像を出力する。また、動画再生部１２０は、再生動作の中断の制御信号を受けた際に、制御部１００から入力した画像選択信号に従って、メモリに蓄積する最も新しい画像を選択して再生位置情報生成部１４０へ出力する。これにより、動画再生部１２０は、再生動作を中断した時刻よりも後にモニタ１３０に表示する画像を出力する。また、動画再生部１２０は、再生動作の中断の制御信号を受けた際に、制御部１００から入力した画像選択信号に従って、メモリに蓄積する再生を中断した際にモニタ１３０に表示していた画像を選択して再生位置情報生成部１４０へ出力する。
【００２５】
また、動画再生部１２０は、再生を中断した時刻を含む所定時間内に表示する画像の内、画面内符号化方式で符号化された直近の画像データ間における、画面間符号化または双方向予測符号化(一般的にＢフレームと呼ばれる)により符号化された画像データを選択して再生位置情報生成部１４０へ出力する。また、動画再生部１２０は、再生開始位置画像データ記憶部１１３から取得した再生開始位置画像データを復号処理して一覧情報作成部１５０へ出力する。
【００２６】
再生位置情報生成部１４０は、動画再生部１２０から入力した再生時間を再生開始位置情報として再生開始位置情報記憶部１１２へ出力する。また、再生位置情報生成部１４０は、動画再生部１２０から入力した表示画像データの画像のサイズを、モニタ１３０に一覧で表示する際の縦及び横の画素数と同一の縦及び横の画素数の画像のサイズに変更する。また、再生位置情報生成部１４０は、サイズを変更した画像の表示画像データに対して符号化処理を行う。そして、再生位置情報生成部１４０は、符号化処理した表示画像データを再生開始位置画像データとして再生開始位置情報と対応付けて再生開始位置画像データ記憶部１１３へ出力する。
【００２７】
一覧情報作成部１５０は、記憶部１１０内の再生開始位置情報記憶部１１２に再生開始位置情報が記憶されているか否かを判定する。一覧情報作成部１５０は、再生開始位置情報が記憶されていると判定した場合に、記憶部１１０内の再生開始位置画像データ記憶部１１３に記憶した再生開始位置画像データの動画再生部１２０への出力を指示し、復号処理された再生開始位置画像データを動画再生部１２０から取得する。一方、一覧情報作成部１５０は、再生開始位置情報が記憶されていないと判定した場合に、動画再生部１２０に対して、第１フレームの表示画像の出力を要求し、表示画像を取得する。さらに、一覧情報作成部１５０は、記憶部１１０内の再生開始位置情報記憶部１１２から取得した再生開始位置情報、及び動画再生部１２０から取得した復号処理された再生開始位置画像データ、または動画再生部１２０から取得した表示画像に基づいてサムネイル画像を生成し、生成したサムネイル画像をモニタ１３０へ出力する。
【００２８】
モニタ１３０は、動画再生部１２０で再生した表示画像を表示する。また、モニタ１３０は、一覧情報作成部１５０から入力したサムネイル画像を表示する。
【００２９】
図２は、記憶部１１０の記憶内容とモニタ１３０の表示内容との対応関係を模式的に示す図である。
【００３０】
図２においては、動画像データ記憶部１１１は、例えば、４つの動画コンテンツVideo1〜Video4を記憶している。また、４つの動画コンテンツVideo1〜Video4の内、動画コンテンツVideo1〜Video3は再生が完了していることを示しているのに対し、動画コンテンツVideo4は、ゴルフのシーンで再生が中断していることを示している。
【００３１】
また、図２において、再生開始位置情報記憶部１１２は、動画コンテンツVideo4については、再生開始位置情報として「００時間１５分３４秒００」を記憶している。即ち、再生開始位置情報記憶部１１２は、動画コンテンツVideo4については、再生開始時刻から１５分３４秒００経過するまで視聴されて再生が中断したこと、即ち再生時間が１５分３４秒００であることを記憶している。また、再生開始位置情報記憶部１１２は、動画コンテンツVideo1〜Video3については、再生開始位置情報として「００時間００分００」を記憶している。即ち、再生開始位置情報記憶部１１２は、動画コンテンツVideo1〜Video3については、再生が完了していることを記憶している。
【００３２】
図２において、再生開始位置画像データ記憶部１１３は、再生を中断した動画コンテンツのゴルフのシーンを記憶している。即ち、再生開始位置画像データ記憶部１１３は、ゴルフのコンテンツで再生が中断し、再生を再開する場合は、ゴルフのシーンから再生が開始されるべきことを画像データで記憶している。
【００３３】
図２において、モニタ１３０は、４つの動画コンテンツVideo1〜Video4を動画コンテンツ一覧として画像データで表示するとともに、再生が中断している動画コンテンツVideo4については、再生が中断したゴルフのシーンを表示する。なお、モニタ１３０は、動画コンテンツVideo1〜Video3の代表的な画像データとして、各動画コンテンツVideo1〜Video3の先頭画面を表示する。従って、ユーザは、先頭画面と各動画コンテンツとを関連付けて予め認知しておくことにより、モニタ１３０に表示される先頭画面を見ることによって、動画像データ記憶部１１１に記憶している各動画コンテンツを把握することができる。
【００３４】
次に、動画像再生装置１が再生動作を中断した場合の動作を、図３を用いて説明する。図３は、動画像再生装置１が再生動作を中断した場合の動作を示すフロー図である。
【００３５】
まず、ユーザの視聴中は、制御部１００は、動画像再生部１２０に対して再生処理を指示する（Ｓ１）。
【００３６】
次に、動画像再生部１２０は、記憶部１１０の動画像データ記憶部１１１に記録された動画像データを順次読み出し、復号処理を行った後に、再生画像をモニタ１３０に出力し（Ｓ２）、モニタ１３０は、再生画像を表示することにより、ユーザは、モニタ１３０で再生画像を継続的に視認する（Ｓ３：ＹＥＳ、Ｓ２）。
【００３７】
この後、制御部１００は、再生の中断の指令を受けた際に（Ｓ３：ＮＯ）、再生位置情報生成部１４０と動画再生部１２０に対して、中断指示を出力する。
【００３８】
次に、動画再生部１２０は、中断指示を受けた時点での再生時間および中断指示を受けた時点での表示画像データを再生位置情報生成部１４０へ出力する。次に再生位置情報生成部１４０は、動画再生部１２０から入力した再生時間を再生開始位置情報として取得し、記憶部１１０内の再生開始位置情報記憶部１１２に保存する（Ｓ４）。
【００３９】
次に、再生位置情報生成部１４０は、動画再生部１２０から入力した表示画像データを、一覧情報表示時に使用する画像サイズの表示画像データに変更し、動画像データと同じ符号化方式のイントラ符号化を行った後に、記憶部１１０内の再生開始位置画像データ記憶部１１３に保存し（Ｓ５）、動画像再生装置１は、視聴処理を終了する（Ｓ６）。
【００４０】
次に、動画像再生装置１における動画コンテンツの一覧表示および動画コンテンツの選択に対応する動作について、図４を用いて説明する。図４は、動画像再生装置１における動画コンテンツの一覧表示および動画コンテンツの選択に対応する動作を示すフロー図である。
【００４１】
視聴が再開される（Ｓ１１）と、制御部１００は、一覧情報作成部１５０に対して、一覧情報の生成を指示する（Ｓ１２）。
【００４２】
次に、一覧情報作成部１５０は、記憶部１１０内の再生開始位置情報記憶部１１２から再生開始位置情報を読み出し、再生開始位置情報の有無を確認する（Ｓ１３）。
【００４３】
次に、再生開始位置情報が保存されている場合（Ｓ１４：ＹＥＳ）、一覧情報作成部１５０は、再生開始位置画像データ記憶部１１３に記憶している再生開始位置画像データの動画再生部１２０への出力を指示し、動画再生部１２０で復号処理された再生位置画像データを取得する（Ｓ１５）。
【００４４】
再生開始位置情報が保存されていない場合（Ｓ１４：ＮＯ）は、一覧情報作成部１５０は、動画再生部１２０に対して、第１フレームの再生画像データを出力するよう要求し、動画再生部１２０は、第１フレームの再生画像データを取得する（Ｓ１６）。
【００４５】
次に、一覧情報作成部１５０は、ステップＳ１５又はステップＳ１６で得た再生位置画像データをもとに、動画像データの一覧およびこれらのサムネイル画像をモニタ１３０に出力する。次に、モニタ１３０は、例えば図２のモニタ１３０に示すように、再生を完了している３つの動画コンテンツVideo1〜Video３、および再生が中断している動画コンテンツVideo4を含む動画コンテンツ一覧を表示する（Ｓ１７）。
【００４６】
次に、ユーザがモニタ１３０に示す動画コンテンツ一覧をみて、これらの中から視聴したい動画像データを選択すると、制御部１００は、動画再生部１２０に対して、該当する動画コンテンツを再生する指令を出力し（Ｓ１８）、動画再生部１２０は、該当動画コンテンツを再生してモニタ１３０に表示し、ユーザが自己が所望する動画コンテンツの視聴を再開する（Ｓ１９）。
【００４７】
なお、上述の場合、再生開始位置情報が保存されていない場合は、第１フレームの再生画像を復号して表示するよう記載したが、あらかじめ第１フレームの再生画像を、再生開始位置画像データを再生開始位置画像データ記憶部１１３に保存しておき、一覧情報生成時には、再生開始位置画像データ記憶部１１３から再生位置画像データ読み込むようにしても良い。
【００４８】
以上のように、本実施の形態によれば、再生を中断した場合でもコンテンツの画像による一覧を早期かつばらつきのないタイミングで表示することができ、利用者の利便性を向上させることができる。特に、記憶部１１０が大容量で多数の動画コンテンツを記憶している場合に、ユーザが認知し易い再生開始位置画像データが表示されるので、ユーザは所望の動画コンテンツを選択して、再生を再開することを確実に行うことができる。また、本実施の形態によれば、表示画像データをイントラ符号化して記憶するので、保存する画像データの容量を小さくすることができる。また、本実施の形態によれば、動画像データ記憶部１１１に記憶されている動画像データがイントラ符号化されている場合には、動画像データの符号化方式と同一の符号化方式で表示画像データを符号化することになるので、記憶部１１０に記憶する動画像データ及び再生開始位置画像データの符号化方式を同一にすることができ、動画像データ及び再生開始位置画像データを画像として表示する際の処理負荷の増大を抑制することができる。また、本実施の形態によれば、表示画像を一覧で表示する際の縦及び横の画素数と同一の縦及び横の画素数の表示画像データに変更して記憶するので、保存する画像データの容量をさらに小さくすることができる。また、本実施の形態によれば、再生開始位置情報の有無を判定した後に再生開始位置画像データを読み出すので、再生が中断しているコンテンツの有無を容易に判断することができるとともに、一覧の作成を容易に行うことができる。
【００４９】
（実施の形態２）
図５は、本発明の実施の形態２に係る動画像再生装置１０の構成を示すブロック図である。
【００５０】
図５に示す動画像再生装置１０は、図１に示す実施の形態１に係る動画像再生装置１に対して、一覧情報作成部１５０の代わりに一覧情報作成部５１０を有する。なお、図５において、図１１と同一構成である部分には同一の符号を付してその説明を省略する。
【００５１】
制御部１００は、動画像再生装置１０全体の制御を行う。また、制御部１００は、図示しない操作部からの指令に基づき、動画像再生装置１０の再生動作を開始または中断するための制御信号を発生して動画再生部１２０、再生位置情報生成部１４０及び一覧情報作成部５１０へ出力する。また、制御部１００は、一覧情報作成部５１０で一覧を作成する際の画像を指定する画像選択信号を発生して動画再生部１２０へ出力する。
【００５２】
動画再生部１２０は、再生開始位置画像データ記憶部１１３から取得した再生開始位置画像データを復号処理して一覧情報作成部５１０へ出力する。なお、図５の動画再生部１２０におけるその他の処理は、図１の動画再生部１２０における処理と同一であるので、その説明を省略する。
【００５３】
一覧情報作成部５１０は、記憶部１１０内の再生開始位置情報記憶部１１２に再生開始位置情報が記憶されているか否かを判定する。一覧情報作成部５１０は、再生開始位置情報が記憶されていると判定した場合に、記憶部１１０内の再生開始位置画像データ記憶部１１３に記憶した再生開始位置画像データの動画再生部１２０への出力を指示し、復号処理された再生開始位置画像データを動画再生部１２０から取得する。一方、一覧情報作成部５１０は、再生開始位置情報が記憶されていないと判定した場合に、動画再生部１２０に対して、第１フレームの表示画像の出力を要求し、表示画像を取得する。さらに、一覧情報作成部５１０は、記憶部１１０内の再生開始位置情報記憶部１１２から取得した再生開始位置情報、及び動画再生部１２０から取得した復号処理された再生開始位置画像データ、または動画再生部１２０から取得した表示画像に基づいてサムネイル画像を生成し、生成したサムネイル画像をモニタ１３０へ出力する。
【００５４】
また、一覧情報作成部５１０は、動画像データ記憶部１１１に記録された動画像データを読み込み、再生が可能なコンテンツか否かの判定を行う。そして、一覧情報作成部５１０は、再生可能なコンテンツの画像による一覧情報を生成する。一方、一覧情報作成部５１０は、全てのコンテンツの再生が不可能であると判定した場合は、画像を含まない一覧情報を生成する。例えば、一覧情報作成部５１０は、一覧情報を生成する際に、著作権によりコンテンツの再生が制限されているか否か、またはコンテンツを再生することが可能な期間内であるか否か、または再生に不可欠な重要なヘッダ情報を正しく読み取れるか否かを判定することにより再生が可能なコンテンツか否かを判定する。この際に、一覧情報作成部５１０は、著作権によりコンテンツの再生が制限されていない場合、コンテンツを再生することが可能な期間内である場合または再生に不可欠な重要なヘッダ情報を正しく読み取れる場合に、コンテンツの再生が可能であると判定する。
【００５５】
モニタ１３０は、動画再生部１２０で再生した表示画像を表示する。また、モニタ１３０は、一覧情報作成部５１０から入力したサムネイル画像を表示する。
【００５６】
このように、本実施の形態によれば、上記実施の形態１の効果に加えて、再生できないコンテンツの画像を一覧表示しないので、一覧表示したコンテンツを選択したにも関わらず選択したコンテンツを再生できない状態を防ぐことができる。
【産業上の利用可能性】
【００５７】
本発明にかかる動画像再生装置及び動画像再生方法は、特にコンテンツを一覧表示するのに好適である。
【図面の簡単な説明】
【００５８】
【図１】本発明の実施の形態１に係る動画像再生装置の構成を示すブロック図
【図２】本発明の実施の形態１に係る動画像再生装置の記録と一覧表示の対応関係を示す模式図
【図３】本発明の実施の形態１に係る動画像再生装置の再生中断時の動作を示すフロー図
【図４】本発明の実施の形態１に係る動画像再生装置の再生再開時の動作を示すフロー図
【図５】本発明の実施の形態２に係る動画像再生装置の構成を示すブロック図
【手続補正３】
【補正対象書類名】図面
【補正対象項目名】全図
【補正方法】変更
【補正の内容】
【図１】
2009004704.tif 000008
【図２】
2009004704.tif 000009
【図３】
2009004704.tif 000010
【図４】
2009004704.tif 000011
【図５】
2009004704.tif 000012
【国際調査報告】
2009004704.tif 000013
2009004704.tif 000014